(57)【要約】【課題】  空気吸込口から燃焼部に向かって送風される空気が燃焼部と効率よく熱交換できる温風暖房機を提供する。【解決手段】  縦長箱状で下部に空気吸込口６を設けた本体ケース１と、その前面に取り付けられ上部に空気吹出口９を設けた前面パネル２と、本体ケース１内下部に設けた温風用送風機１０と、温風用送風機１０の上方に設けられ、バーナ部１２と燃焼筒１３と燃焼用送風機１４とを有する燃焼部１１と、燃焼部１１の上方に設けられた二次熱交換器とを備えた温風暖房機に於いて、温風用送風機１０の送風空気吹出口１８から吹き出す空気を燃焼筒１３方向に案内する整流板２４を設けたので、燃焼部１１に向かって吹き出した室内空気は、整流板２４により左右から燃焼筒１３に向かって流れ、燃焼筒１３と適切に熱交換を行って加熱できるものである。【選択図】  図２
2016142459.tif 000002
【特許請求の範囲】
【請求項１】
縦長箱状に形成され下部に空気吸込口を設けた本体ケースと、該本体ケースの前面に取り付けられ上部に空気吹出口を設けた前面パネルと、前記本体ケース内の下部に設け、前記空気吸込口からの空気を空気吹出口に向かって送風する温風用送風機と、該温風用送風機の上方に設けられ、バーナ部と燃焼筒と燃焼用送風機とを有する燃焼部と、前記燃焼部の上方に設けられ、燃焼部の燃焼ガスと空気吸込口から空気吹出口に向かって送風される空気とて熱交換をさせる二次熱交換器とを備えた温風暖房機に於いて、前記温風用送風機の送風空気吹出口から吹き出す空気を燃焼筒方向に案内する整流板を設けたことを特徴とする温風暖房機。
【請求項２】
前記整流板は、本体ケース内で燃焼筒下端の高さと略同じ高さの両端に、燃焼筒に向かって傾斜して設けられ、長手方向の少なくとも一端を略Ｌ字状に折り曲げて折曲げ部を形成し、該折曲げ部を本体ケース内の前面パネル側に固定したことを特徴とする請求項１記載の温風暖房機。
【発明の詳細な説明】
【技術分野】
【０００１】
本発明は、縦長箱状の本体ケース内に温風用送風機及び熱交換装置が収容され、空気吸込口から本体ケース内に吸込まれた空気を熱交換装置で加熱して空気吹出口から放出させるようにした業務用の屋外給排気式石油温風暖房機等の温風暖房機に関するものである。
【背景技術】
【０００２】
従来、この種のものに於いては、図４に示すように、縦長箱状の本体ケース１０１の前面上部に空気吹出口１０２を有すると共に、本体ケース１０１の前面下部に空気吸込口１０３を設けたものがあった。
【０００３】
そして、本体ケース１０１内下部にシロッコファンによる温風用送風機１０４を設け、その上方にバーナ部１０５、更にその上方に燃焼筒１０６、更にその上方に熱交換器１０７（図示せず）が設けられ、空気吸込口１０３から吸引された空気は本体ケース１０１内下部から本体ケース１０１前面上部の空気吹出口１０２に向かって流れ、その途中で燃焼筒１０６や熱交換器１０７により加熱されて、温風となって空気吹出口１０２から吹き出すものであった。
（例えば特許文献１参照）
【先行技術文献】
【特許文献】
【０００４】
【特許文献１】実開昭５６−７６９４４号公報
【発明の概要】
【発明が解決しようとする課題】
【０００５】
ところで、この従来のものでは、空気吸込口から温風用送風機により本体ケース内に流入した空気が、本体ケース前面上部の空気吹出口に向かって流れるその途中で燃焼筒や熱交換器により加熱されるが、上昇する際に燃焼筒に近づかないで上昇してしまう空気があり、燃焼筒の熱により上昇する空気が十分加熱されないという課題があった。
【課題を解決するための手段】
【０００６】
上記課題を解決するために、本発明の請求項１では、縦長箱状に形成され下部に空気吸込口を設けた本体ケースと、該本体ケースの前面に取り付けられ上部に空気吹出口を設けた前面パネルと、前記本体ケース内の下部に設け、前記空気吹出口からの空気を空気吹出口に向かって送風する温風用送風機と、該温風用送風機の上方に設けられ、バーナ部と燃焼筒と燃焼用送風機とを有する燃焼部と、前燃焼部の上方に設けられ、燃焼部の燃焼ガスと空気吹出口から空気吹出口に向かって送風される空気とて熱交換をさせる二次熱交換器とを備えた温風暖房機に於いて、前記温風用送風機の送風空気吹出口から吹き出す空気を燃焼筒方向に案内する整流板を設けたものである。
【０００７】
また、請求項２では、請求項１において、前記整流板は、本体ケース内で燃焼筒下端の高さと略同じ高さの両端に、燃焼筒に向かって傾斜して設けられ、長手方向の少なくとも一端を略Ｌ字状に折り曲げて折曲げ部を形成し、該折曲げ部を本体ケース内の前面パネル側に固定したものである。
【発明の効果】
【０００８】
この発明の請求項１によれば、温風用送風機の送風空気吹出口から吹き出す空気を燃焼筒方向に案内する整流板を設けたので、燃焼部に向かって吹き出した室内空気は、整流板により左右から燃焼筒に向かって流れ、燃焼筒と適切に熱交換を行って加熱できるものである。
【０００９】
又、請求項２によれば、前記整流板は、本体ケース内で燃焼筒下端の高さと略同じ高さの両端に、燃焼筒に向かって傾斜して設けられ、長手方向の少なくとも一端を略Ｌ字状に折り曲げて折曲げ部を形成し、該折曲げ部を本体ケース内の前面パネル側に固定したので、温風用送風機の送風量が変化しても整流板の先端から燃焼筒までの距離ａ及び整流板の傾斜角度θは変化せず、送風量が変化することで燃焼筒との熱交換具合が変化するのを防止し、熱交換が低下したり、送風抵抗が増加したり、異常燃焼検知センサの周辺の空気の温度が異常に高温になったりするのを防止できるものである。
【００１０】
又、整流板の折曲げ部により、送風空気吹出口から燃焼部に向かって吹き出した室内空気の一部が中間部前面パネルの内側に流れるのを防止して、効率よく燃焼部と熱交換できるものである。
【図面の簡単な説明】
【００１１】
【図１】この発明の一実施例を付した温風暖房機の斜視図。
【図２】同中間部前面パネルと下部前面パネルを外した状態の斜視図。
【図３】同正面図。
【図４】従来例を示す要部断面図。
【発明を実施するための形態】
【００１２】
次にこの発明に係る温風暖房機を図面に示す一実施例で説明する。
１は縦長箱状に形成された本体ケースであり、この本体ケース１は前面に前面パネル２を有しており、この前面パネル２は、上部前面パネル３と中間部前面パネル４と下部前面パネル５の３個のパネル部品により構成され、前記本体ケース１底部には多数の横長状開口から成る空気吸込口６が設けられ、本体ケース１底部の四隅には脚部７が取り付けられているものである。
【００１３】
前記上部前面パネル３には複数のルーバ羽根８を有する空気吹出口９が設けられ、前記空気吸込口６と空気吹出口９とを連絡する本体ケース１内の下部には温風用送風機１０が設けられ、本体ケース１内の中間部には燃焼部１１が設けられている。
【００１４】
前記燃焼部１１は、液体燃料を気化して燃焼させるバーナ部１２と、このバーナ部１２の上方に設けられ、バーナ部１２の燃焼ガスが供給される燃焼筒１３と、
前記温風用送風機１０とバーナ部１２との間に位置し、バーナ部１２に燃焼用空気を送風する燃焼用送風機１４と、該燃焼用送風機１４とバーナ部１２との間に位置し、バーナ部１２での振動燃焼が発生するのを防止するために燃焼用送風機１４からの空気が一旦流入した後、バーナ部１２へ流出する略箱状の空筒１５と、前記燃焼筒１３の上方に設けられ、複数本の熱交換パイプよりなる二次熱交換器（図示せず）と、排気ケース（図示せず）とが縦方向に順次結合された構成となっている。
【００１５】
そして前記排気ケースには排気パイプ（図示せず）の一端部が接続され、この排気パイプの他端部は接続管（図示せず）を介して給排気筒（図示せず）に接続されるものである。
【００１６】
前記温風用送風機１０は、駆動用モータ（図示せず）と、この駆動用モータの軸の一端に取り付けられたシロッコファン１６と、このシロッコファン１６を収容したファンケース１７とで構成され、該ファンケース１７上部にはシロッコファン１６からの送風空気が燃焼部１０に向かって吹き出すための送風空気吹出口１８が設けられているもので、この温風用送風機１０は前記空気吸込口６の上部で、また、下部前面パネル５の奥に位置するように本体ケース１内の下部に設置されている。
【００１７】
１９は温風暖房機を操作する操作部で、本体ケース１内の中間部の上方に設けられ、中間部前面パネル３を本体ケース１に取り付けた状態で中間部前面パネル３の上部に設けた操作部用開口部２０に位置するもので、この操作部１９には温風暖房機の運転入り、切りスイッチはもちろん、室温の設定、タイマー運転等の種々のスイッチや機能が搭載されているものである。
【００１８】
２１は本体ケース１内底部の空気吸込口６に設けられたエアフィルターで、空気吸込口６の左右に設けたフィルターレール２２により摺動自在に保持されていて、エアフィルター２１の一端に形成した取手部２３を手で掴んで、フィルターレール２２に差し込んだり抜き取ったりして着脱するものである。
【００１９】
２４は整流板で、本体ケース１内で燃焼筒１３下端の高さの両端に設けられ、金属製の長板の一端を略Ｌ字状に折り曲げて折曲げ部２５を形成し、該折曲げ部２５を本体ケース１内の前面パネル３側のアングル２６にネジ２７にて固定されているものである。
【００２０】
２８は異常燃焼検知センサで、中間部前面パネル４の内側に設けた取付金具（図示せず）の先端に設けられ、その設けられている位置は、高さが燃焼筒１３の略中心位で且つ本体ケース１の側面板内側から燃焼筒１３までの間の略中心位の位置に設けられているもので、燃焼筒１３の周辺の空気温度を検知し、その検知温度が所定温度異常になったとき、異常燃焼が発生していると判断して、バーナ部１２の燃焼を停止して運転を停止するものである。
【００２１】
前記アングル２６は本体ケース１内に縦方向に設けた燃焼筒１３の下端の高さに設けられ、前記整流板２４は、そのアングル２６の両端に取り付けられ、その先端が燃焼筒１３に向かって傾斜して設けられており、その整流板２４の先端から燃焼筒１３までの距離ａは、本体ケース１の側面板内側から燃焼筒１３までの距離Ａの約４０％で、更にアングル２６に対しての整流板２４の傾斜角度θは約６０度になるように設けられているものである。
【００２２】
これは整流板２４の先端から燃焼筒１３までの距離ａが大きくなるほど温風用送風機１０からの送風空気が燃焼筒１３に接触しなくなって熱交換が低下し、逆に整流板２４の先端から燃焼筒１３までの距離ａが小さくなるほど送風抵抗が増加して温風用送風機１０の負荷が増加してしまい、温風の送風能力が低下してしまうものである。
【００２３】
又、整流板２４の傾斜角度θが約６０度より大きくなるほど温風用送風機１０からの送風空気が燃焼筒１３に接触しなくなって熱交換が低下し、逆に整流板２４の傾斜角度θが約６０度より小さくなるほど温風用送風機１０からの送風空気が燃焼筒１３に接触し過ぎて燃焼筒１３の温度が低下して排気ガスの温度が低くなり過ぎたり、送風空気の温度が高くなり過ぎて場合によっては異常燃焼検知センサ２８が異常燃焼が発生していると誤判断して、バーナ部１２の燃焼を停止して運転を停止してしまうものである。
【００２４】
次にその動作について説明すると、燃料パイプ（図示せず）よりバーナ部１２内に噴出された液体燃料は、バーナ部１２の内壁で気化され、この時、気化燃料は、燃焼用送風機１４より空筒１５を介してバーナ部１２内に供給された燃焼用空気と混合され、混合ガスとしてバーナ部１２から噴出され、点火プラグ（図示せず）からの放電を受けて着火され燃焼する。
【００２５】
そして二次熱交換器の温度が上昇すると温風用送風機１０が作動し、室内空気を空気吸込口６から吸い込んで送風空気吹出口１８から燃焼部１０に向かって吹き出し、燃焼筒１３及二次熱交換器で熱交換して加熱した後、空気吹出口９から吐出させることで温風が送り出される。
【００２６】
この時、送風空気吹出口１８から燃焼部１０に向かって吹き出した室内空気は、左右の整流板２４により左右から燃焼筒１３に向かって流れ、燃焼筒１３と適切に熱交換を行って加熱される。
【００２７】
又、整流板２４の折曲げ部２５により、送風空気吹出口１８から燃焼部１０に向かって吹き出した室内空気の一部が中間部前面パネル４の内側に流れるのを防止して、効率よく燃焼部１０と熱交換できるものである。
【００２８】
更に整流板２４の折曲げ部２５を本体ケース１内の前面パネル３側のアングル２６にネジ２７にて固定していることにより、温風用送風機１０の送風量が変化しても整流板２４の先端から燃焼筒１３までの距離ａ及び整流板２４の傾斜角度θは変化しないので、送風量が変化することで燃焼筒１３との熱交換具合が変化するのを防止し、熱交換が低下したり、送風抵抗が増加したり、異常燃焼検知センサ２８の周辺の空気の温度が異常に高温になったりするのを防止しているものである。
【符号の説明】
【００２９】
１  本体ケース
２  前面パネル
６  空気吸込口
９  空気吹出口
１０  温風用送風機
１１  燃焼部
１２  バーナ部
１３  燃焼筒
１４  燃焼用送風機
１８  送風空気吹出口
２４  整流板
【図１】
2016142459.tif 000003
【図２】
2016142459.tif 000004
【図３】
2016142459.tif 000005
【図４】
2016142459.tif 000006